(57)【要約】      （修正有）【課題】両替処理した貨幣を特定するための情報を管理することができる両替機および両替システムを提供する。【解決手段】両替システム１０は、投入された紙幣を識別し、両替金としての紙幣を排出する両替処理を行う両替部（例えば、バラ紙幣入出金装置３０）と、両替部に投入された紙幣および両替部から排出された紙幣のうち少なくとも一方の紙幣の特定情報を管理する管理部（例えば、管理装置９０）とを備えている。【選択図】図５
2016139383.tif 000002
【特許請求の範囲】
【請求項１】
両替処理を行う両替機であって、
機体外から機体内に紙幣を投入するための投入部と、
機体内から機体外に両替金としての紙幣を排出する排出部と、
前記投入部に投入された紙幣および前記排出部から排出された紙幣のうち少なくとも一方の紙幣の特定情報を管理する制御部と、
を備えることを特徴とする両替機。
【請求項２】
前記排出部へ排出するための紙幣を収納する収納部を更に備え、
前記制御部は、前記収納部に収納されている紙幣の特定情報と当該紙幣の収納順とを紐付けた情報に基づいて紙幣の特定情報を管理する、請求項１記載の両替機。
【請求項３】
前記制御部は、紐付けて管理されている紙幣の特定情報と当該紙幣の収納順とを出力するようになっている、請求項２記載の両替機。
【請求項４】
前記収納部から前記排出部へ排出される紙幣毎の排出動作を検知する検知部を更に備え、
前記制御部は、前記検知部により検知された紙幣毎の排出動作に基づいて、前記排出部へ排出される紙幣の特定情報を管理する、請求項２または３記載の両替機。
【請求項５】
前記検知部により紙幣の排出動作が検知されると、前記収納部から前記排出部へ排出された紙幣の枚数に係る情報が前記制御部に送られ、当該制御部は、前記収納部に収納されている紙幣の特定情報と当該紙幣の収納順とを紐付けた情報と、前記収納部から前記排出部へ排出された紙幣の枚数に係る情報とに基づいて、前記排出部へ排出される紙幣の特定情報を管理する、請求項４記載の両替機。
【請求項６】
前記収納部は、当該収納部に収納されている紙幣のうち最後に収納された紙幣を当該収納部から最初に排出するような構成となっており、収納されている紙幣を収納順とは逆の順番で排出する、請求項２乃至５のいずれか一項に記載の両替機。
【請求項７】
前記投入部により機体外から機体内に投入された紙幣および前記排出部により機体内から機体外に排出された紙幣のうち少なくとも一方の紙幣の前記特定情報を出力する出力部を更に備える、請求項１乃至６のいずれか一項に記載の両替機。
【請求項８】
操作者の情報を取得するための情報取得部を更に備える、請求項１乃至７のいずれか一項に記載の両替機。
【請求項９】
前記制御部は、前記投入部により機体外から機体内に投入された紙幣および前記排出部により機体内から機体外に排出された紙幣のうち少なくとも一方の紙幣の特定情報と前記情報取得部により取得された操作者の情報とを紐付ける、請求項８記載の両替機。
【請求項１０】
前記制御部により管理される紙幣の前記特定情報は紙幣の記番号およびイメージ画像のうち少なくとも一方のものである、請求項１乃至９のいずれか一項に記載の両替機。
【請求項１１】
投入された紙幣を識別し、両替金としての紙幣を排出する両替処理を行う両替部と、
前記両替部に投入された紙幣および前記両替部から排出された紙幣のうち少なくとも一方の紙幣の特定情報を管理する管理部と、
を備えることを特徴とする両替システム。
【請求項１２】
前記両替部は、両替金として排出するための紙幣を収納する収納部を有し、
前記管理部は、前記収納部に収納されている紙幣の特定情報と当該紙幣の収納順とを紐付けた情報に基づいて紙幣の特定情報を管理する、請求項１１記載の両替システム。
【請求項１３】
前記両替部は、前記収納部に収納されている紙幣の特定情報と当該紙幣の収納順とを前記管理部に出力する、請求項１２記載の両替システム。
【請求項１４】
前記両替部は、紙幣を外部に排出する排出部と、前記収納部から前記排出部へ排出される紙幣毎の排出動作を検知する検知部とを更に有しており、
前記管理部は、前記検知部により検知された紙幣毎の排出動作に基づいて、前記排出部へ排出される紙幣の特定情報を管理する、請求項１２または１３記載の両替システム。
【請求項１５】
前記検知部により紙幣の排出動作が検知されると、前記収納部から前記排出部へ排出された紙幣の枚数に係る情報が前記管理部に送られ、当該管理部は、前記収納部に収納されている紙幣の特定情報と当該紙幣の収納順とを紐付けた情報と、前記収納部から前記排出部へ排出された紙幣の枚数に係る情報に基づいて、前記排出部へ排出される紙幣の特定情報を管理する、請求項１４記載の両替システム。
【請求項１６】
前記両替部は、外部から紙幣が投入される投入部を有し、
前記収納部は、前記投入部から投入された紙幣を収納し、当該収納部に収納されている紙幣のうち最後に収納された紙幣を当該収納部から最初に排出するような構成となっており、収納されている紙幣を収納順とは逆の順番で排出する、請求項１２乃至１５のいずれか一項に記載の両替システム。
【請求項１７】
前記両替部に投入された紙幣および前記両替部から排出された紙幣のうち少なくとも一方の紙幣の前記特定情報を出力する出力部を更に備える、請求項１１乃至１６のいずれか一項に記載の両替システム。
【請求項１８】
操作者の情報を取得するための情報取得部を更に備えた、請求項１１乃至１７のいずれか一項に記載の両替システム。
【請求項１９】
前記管理部は、前記両替部に投入された紙幣および前記両替部から排出された紙幣のうち少なくとも一方の紙幣の特定情報と前記情報取得部により取得された操作者の情報とを紐付ける、請求項１８記載の両替システム。
【請求項２０】
前記特定情報は紙幣の記番号またはイメージ画像である、請求項１１乃至１９のいずれか一項に記載の両替システム。
【発明の詳細な説明】
【技術分野】
【０００１】
本発明は、両替処理を行う両替機およびこのような両替機を備えた両替システムに関する。
【背景技術】
【０００２】
機体内に投入された紙幣や硬貨等の貨幣を他の金種の貨幣に交換して機体外に投出するような両替処理を行う両替機として従来から様々なタイプのものが用いられるようになっている。このような両替機として、例えば特許文献１に開示されるものが知られている。
【０００３】
特許文献１に開示される両替機では、カードリーダユニットによりキャッシュカードから利用者のカード情報を読み取り、ＣＰＵは、このカード情報により適正なキャッシュカードか否かを判別するようになっている。また、入金ユニットは両替貨幣を受け入れて真偽判別を行うようになっている。また、利用者は、接客ユニットの操作により両替内容を指定するようになっている。そして、ＣＰＵは、正しいキャッシュカードであると判別し、かつ正しい貨幣であると判別すると、指定された両替内容に基づいて小額貨幣の金種毎の枚数を算出し、両替出金ユニットは、この算出された金種毎の枚数情報に基づき両替出金動作を行い、指定された金種の小額貨幣を所定枚数払い出す。さらに、特許文献１に開示される両替機では、不正両替が行われた場合には、カード情報と両替内容だけではなく利用者の顔画像を記録することで、不正利用に対する不正拡大と以降の不正利用を防止することができるようになっている。
【先行技術文献】
【特許文献】
【０００４】
【特許文献１】特開平０７−０２９０４３号公報
【発明の概要】
【発明が解決しようとする課題】
【０００５】
しかしながら、特許文献１に開示されるような従来の両替機では、当該両替機において両替処理が行われる際の不正利用を防止することはできても、両替処理が行われた後の不正行為を防止することができないという問題がある。例えば、利用者が両替機を操作する際には不正利用がなくても、両替処理が行われた後に、両替機から出金された紙幣が偽券であると利用者が金融機関の係員等に申し出た場合にトラブルの原因となってしまう。更には、両替機から出金された紙幣が真券であるにもかかわらず利用者が両替機から偽券が出金されたと偽り、持参した偽券と交換することを金融機関の係員等に求めるというような悪質な手口に対しては従来の両替機では十分に対応することができなかった。
【０００６】
本発明は、このような点を考慮してなされたものであり、両替処理した貨幣を特定するための情報を管理することができる両替機および両替システムを提供することを目的とする。
【課題を解決するための手段】
【０００７】
本発明の両替機は、両替処理を行う両替機であって、機体外から機体内に紙幣を投入するための投入部と、機体内から機体外に両替金としての紙幣を排出する排出部と、前記投入部に投入された紙幣および前記排出部から排出された紙幣のうち少なくとも一方の紙幣の特定情報を管理する制御部と、を備えることを特徴とする。
【０００８】
このような両替機によれば、投入部に投入された紙幣および排出部から排出された紙幣のうち少なくとも一方の紙幣の特定情報を管理することにより、両替処理した貨幣を特定するための情報を管理することができ、よって偽券等に関するトラブルが発生することを防止することができる。
【０００９】
本発明の両替機は、前記排出部へ排出するための紙幣を収納する収納部を更に備え、前記制御部は、前記収納部に収納されている紙幣の特定情報と当該紙幣の収納順とを紐付けた情報に基づいて紙幣の特定情報を管理するようになっていてもよい。
【００１０】
この場合、前記制御部は、紐付けて管理されている紙幣の特定情報と当該紙幣の収納順とを出力するようになっていてもよい。
【００１１】
本発明の両替機は、前記収納部から前記排出部へ排出される紙幣毎の排出動作を検知する検知部を更に備え、前記制御部は、前記検知部により検知された紙幣毎の排出動作に基づいて、前記排出部へ排出される紙幣の特定情報を管理するようになっていてもよい。
【００１２】
この場合、前記検知部により紙幣の排出動作が検知されると、前記収納部から前記排出部へ排出された紙幣の枚数に係る情報が前記制御部に送られ、当該制御部は、前記収納部に収納されている紙幣の特定情報と当該紙幣の収納順とを紐付けた情報と、前記収納部から前記排出部へ排出された紙幣の枚数に係る情報とに基づいて、前記排出部へ排出される紙幣の特定情報を管理するようになっていてもよい。
【００１３】
また、前記収納部は、当該収納部に収納されている紙幣のうち最後に収納された紙幣を当該収納部から最初に排出するような構成となっており、収納されている紙幣を収納順とは逆の順番で排出するようになっていてもよい。
【００１４】
本発明の両替機は、前記投入部により機体外から機体内に投入された紙幣および前記排出部により機体内から機体外に排出された紙幣のうち少なくとも一方の紙幣の前記特定情報を出力する出力部を更に備えていてもよい。
【００１５】
本発明の両替機は、操作者の情報を取得するための情報取得部を更に備えていてもよい。
【００１６】
この場合、前記制御部は、前記投入部により機体外から機体内に投入された紙幣および前記排出部により機体内から機体外に排出された紙幣のうち少なくとも一方の紙幣の特定情報と前記情報取得部により取得された操作者の情報とを紐付けるようになっていてもよい。
【００１７】
本発明の両替機においては、 前記制御部により管理される紙幣の前記特定情報は紙幣の記番号およびイメージ画像のうち少なくとも一方のものであってもよい。
【００１８】
本発明の両替システムは、投入された紙幣を識別し、両替金としての紙幣を排出する両替処理を行う両替部と、前記両替部に投入された紙幣および前記両替部から排出された紙幣のうち少なくとも一方の紙幣の特定情報を管理する管理部と、を備えることを特徴とする。
【００１９】
このような両替システムによれば、両替部に投入された紙幣および両替部から排出された紙幣のうち少なくとも一方の紙幣の特定情報を管理することにより、両替処理した貨幣を特定するための情報を管理することができ、よって偽券等に関するトラブルが発生することを防止することができる。
【００２０】
本発明の両替システムにおいては、前記両替部は、両替金として排出するための紙幣を収納する収納部を有し、前記管理部は、前記収納部に収納されている紙幣の特定情報と当該紙幣の収納順とを紐付けた情報に基づいて紙幣の特定情報を管理するようになっていてもよい。
【００２１】
この場合、前記両替部は、前記収納部に収納されている紙幣の特定情報と当該紙幣の収納順とを前記管理部に出力するようになっていてもよい。
【００２２】
また、前記両替部は、紙幣を外部に排出する排出部と、前記収納部から前記排出部へ排出される紙幣毎の排出動作を検知する検知部とを更に有しており、前記管理部は、前記検知部により検知された紙幣毎の排出動作に基づいて、前記排出部から排出される紙幣の特定情報を特定するようになっていてもよい。
【００２３】
この場合、前記検知部により紙幣の排出動作が検知されると、前記収納部から前記排出部へ排出された紙幣の枚数に係る情報が前記管理部に送られ、当該管理部は、前記収納部に収納されている紙幣の特定情報と当該紙幣の収納順とを紐付けた情報と、前記収納部から前記排出部へ排出された紙幣の枚数に係る情報に基づいて、前記排出部へ排出される紙幣の特定情報を管理するようになっていてもよい。
【００２４】
本発明の両替システムにおいては、前記両替部は、外部から紙幣が投入される投入部を有し、前記収納部は、前記投入部から投入された紙幣を収納し、当該収納部に収納されている紙幣のうち最後に収納された紙幣を当該収納部から最初に排出するような構成となっており、収納されている紙幣を収納順とは逆の順番で排出するようになっていてもよい。
【００２５】
本発明の両替システムは、前記両替部に投入された紙幣および前記両替部から排出された紙幣のうち少なくとも一方の紙幣の前記特定情報を出力する出力部を更に備えていてもよい。
【００２６】
本発明の両替システムは、操作者の情報を取得するための情報取得部を更に備えていてもよい。
【００２７】
この場合、前記管理部は、前記両替部に投入された紙幣および前記両替部から排出された紙幣のうち少なくとも一方の紙幣の特定情報と前記情報取得部により取得された操作者の情報とを紐付けるようになっていてもよい。
【００２８】
本発明の両替システムにおいては、前記特定情報は紙幣の記番号またはイメージ画像であってもよい。
【発明の効果】
【００２９】
本発明の両替機および両替システムによれば、両替処理した貨幣を特定するための情報を管理することができる。
【図面の簡単な説明】
【００３０】
【図１】本発明の実施の形態による両替システムの外部筐体を前方から見たときの正面図である。
【図２】図１に示す両替システムの内部構成の概略を示す概略構成図である。
【図３】図１および図２に示す両替システムにおけるバラ紙幣入出金装置の構成の概略を示す概略構成図である。
【図４】図３に示すバラ紙幣入出金装置における制御系の構成を示す機能ブロック図である。
【図５】図１等に示す両替システムにおける情報の流れを示す図である。
【図６】単体で用いられるバラ紙幣入出金装置における制御系の構成を示す機能ブロック図である。
【発明を実施するための形態】
【００３１】
以下、図面を参照して本発明の実施の形態について説明する。図１乃至図５は、本実施の形態に係るバラ紙幣入出金装置およびこのようなバラ紙幣入出金装置を備えた両替システムを示す図である。このうち、図１は、本実施の形態による両替システムの外部筐体を前方から見たときの正面図であり、図２は、図１に示す両替システムの内部構成の概略を示す概略構成図である。また、図３は、図１および図２に示す両替システムにおけるバラ紙幣入出金装置の構成の概略を示す概略構成図であり、図４は、図３に示すバラ紙幣入出金装置における制御系の構成を示す機能ブロック図である。また、図５は、図１等に示す両替システムにおける情報の流れを示す図である。
【００３２】
本実施の形態に係る両替システムは、金融機関等のロビーに設置され、顧客自らが操作して行う両替処理に利用されるようになっている。より詳細には、本実施の形態に係る両替システムは、両替処理として、入金される貨幣の金種に対して出金される貨幣の金種が低額となるような正両替処理、および入金される貨幣の金種に対して出金される貨幣の金種が高額となるような逆両替処理をそれぞれ行うことができるようになっている。なお、本実施の形態に係る両替システムでは、このような両替処理を行う際に、入金された貨幣から両替手数料を差し引いた金額の貨幣が出金されるような運用が行われる場合もある。また、本実施の形態に係る両替システムは、入金された旧券と同一の合計金額または両替手数料が差し引かれた金額の新券が出金されたり、入金された損券と同一の合計金額または両替手数料が差し引かれた金額の正券が出金されたり、入金された流通券と同一の合計金額または両替手数料が差し引かれた金額の官封券（いわゆる新札）が出金されたりするようになっていてもよい。
【００３３】
〔両替システムの全体構成について〕
まず、本実施の形態に係る両替システム１０の全体構成について図１および図２を用いて説明する。
【００３４】
図１および図２に示すように、本実施の形態による両替システム１０は、略直方体形状の外側筐体１２を有しており、この外側筐体１２の内部には、バラ硬貨入出金装置２０、バラ紙幣入出金装置３０および包装硬貨投出装置８０が横方向に並ぶよう設けられている。これらのバラ硬貨入出金装置２０、バラ紙幣入出金装置３０および包装硬貨投出装置８０はそれぞれ、他の装置から独立して外側筐体１２の内部から手前側に水平方向に引き出して取り出すことができるようになっている。
【００３５】
また、両替システム１０の外側筐体１２の前面には上部扉１４および下部扉１６がそれぞれ設けられている。上部扉１４は図１に示す閉じた状態から上方に開くことができるようになっており、また、下部扉１６は図１に示す閉じた状態から側方に開くことができるようになっている。なお、本実施の形態では、上部扉１４および下部扉１６は、外側筐体１２の一部を構成するようになっている。また、上部扉１４の上部における左右両側には、両替システム１０が予め設定された複数の状態のうちどの状態であるかを光表示により外部に通知する状態通知部として左右一対の発光ダイオード（ＬＥＤ）９８が設けられている。
【００３６】
また、図２に示すように、本実施の形態による両替システム１０には、バラ硬貨入出金装置２０、バラ紙幣入出金装置３０および包装硬貨投出装置８０の管理を行う管理装置９０が設けられている。また、図１および図２に示すように、両替システム１０の前面にはタッチパネル等からなる操作表示部９２が設けられており、このような操作表示部９２は管理装置９０に接続されている。操作表示部９２は、各装置２０、３０、８０における貨幣の処理内容や在高等に係る情報を表示するとともに、操作者がこの操作表示部９２を操作することにより管理装置９０に様々な指令を入力することができるようになっている。なお、両替システム１０においてタッチパネル等からなる操作表示部９２が設けられる代わりに、モニタ等からなる表示部と、キーボードや操作キー等からなる操作部とが別々に設けられるようになっていてもよい。
【００３７】
また、図２に示すように、両替システム１０の管理装置９０にはカードリーダ９４、プリンタ９５、通信装置９６等が接続されている。カードリーダ９４は、操作者が所有するＩＤカード等の読み取りを行うことにより操作者の情報を取得し、この操作者の情報に基づいて当該操作者の認証を行うようになっている。また、プリンタ９５は、各装置２０、３０、８０における貨幣の処理内容や在高等に係る情報、あるいは操作者が行った両替処理に関する情報をレシート等に印字する印字部として機能するようになっている。図１に示すように、このようなカードリーダ９４へのカード挿入口やプリンタ９５からのレシート投出口は両替システム１０の上部扉１４等に設けられている。また、管理装置９０は通信装置９６により両替システム１０とは別のシステム（例えば、上位端末）に対して信号の送受信を行うようになっている。
【００３８】
ここで、本発明の両替システム１０では、上記のバラ紙幣入出金装置３０は、投入された紙幣を識別し、両替金としての紙幣を排出する両替処理を行う両替部として用いられるようになっている。また、本発明の両替システム１０では、上記の管理装置９０は、両替部に投入された紙幣および両替部から排出された紙幣のうち少なくとも一方の紙幣の特定情報を管理する管理部として用いられるようになっている。
【００３９】
〔バラ紙幣入出金装置の構成について〕
次に、本実施の形態の両替システム１０におけるバラ紙幣入出金装置３０の構成について図３を用いて説明する。なお、本発明では、このようなバラ紙幣入出金装置３０が紙幣の両替処理を行う両替機として用いられるようになっている。なお、後述するように、両替機としてのバラ紙幣入出金装置が両替システム１０に組み込まれるのではなく単体で用いられるようになっていてもよい。
【００４０】
図３に示すように、バラ紙幣入出金装置３０は略直方体形状の筐体３２を有しており、この筐体３２の前面（図３における右側の側面）には投入部３４および排出部４０がそれぞれ設けられている。投入部３４には投入部カバー３４ａおよび紙幣繰出機構３４ｂが設けられており、操作者がバラ紙幣入出金装置３０へ少数枚の紙幣を入金する場合には、紙幣を積層状態で投入部３４にセットした後、紙幣繰出機構３４ｂにより紙幣を１枚ずつ筐体３２内に繰り出すようになっている。また、多量の紙幣を入金する場合には、図３における二点鎖線で示すように投入部カバー３４ａを上方に開いた状態で多量の紙幣を投入部３４にセットした後、紙幣繰出機構３４ｂにより紙幣を１枚ずつ筐体３２内に繰り出すようになっている。また、バラ紙幣入出金装置３０の筐体３２内には搬送部３６が設けられており、この搬送部３６は、紙幣繰出機構３４ｂにより筐体３２内に繰り出された紙幣を１枚ずつ搬送するようになっている。搬送部３６には識別部３８が設けられており、紙幣繰出機構３４ｂにより筐体３２内に繰り出された紙幣は識別部３８によりその金種、真偽、正損、新旧等が識別されるようになっている。より詳細には、識別部３８には例えばイメージセンサが設けられており、当該イメージセンサによって紙幣が撮像されることにより当該紙幣のイメージ画像が取得され、この取得されたイメージ画像に基づいて紙幣の金種、真偽、正損、新旧等が識別されるようになっている。また、識別部３８により取得される紙幣のイメージ画像に基づいて、ＯＣＲ（光学文字認識）により当該紙幣の記番号が判別されるようになっている。本実施の形態では、このような識別部３８により取得される紙幣の記番号やイメージ画像をまとめて紙幣の特定情報とする。すなわち、識別部３８により取得される紙幣の記番号やイメージ画像に基づいて、当該紙幣を特定することができるようになる。
【００４１】
また、筐体３２内において複数の収納繰出部５０が設けられており、各収納繰出部５０はそれぞれ搬送部３６に接続されている。各収納繰出部５０は、紙幣を金種別に収納するようになっている。より詳細には、識別部３８による紙幣の識別結果に基づいて、紙幣繰出機構３４ｂにより筐体３２内に繰り出された紙幣は搬送部３６により各収納繰出部５０に金種別に送られるようになっている。また、各収納繰出部５０は、当該収納繰出部５０に収納された紙幣を１枚ずつ搬送部３６に繰り出すことができるようになっている。各収納繰出部５０は、図３に示すような紙幣を１枚ずつ一対のテープ間に挟み込んだ状態で当該テープを紙幣とともに巻き取るテープリール式の収納繰出部であってもよく、あるいは、紙幣を積み重ねて収納するスタッカ式の収納繰出部（図示せず）であってもよい。各収納繰出部５０として、図３に示すようなテープリール式の収納繰出部が用いられる場合には、当該収納繰出部５０に収納されている紙幣のうち最後に収納された紙幣がこの収納繰出部５０から最初に繰り出されるようになる。
【００４２】
また、図３に示すように、筐体３２内において、現金搬送カセット５４が着脱自在に装着されるカセット装着部５２が設けられている。カセット装着部５２は搬送部３６に接続されており、カセット装着部５２に現金搬送カセット５４が装着されたときに、搬送部３６から現金搬送カセット５４に紙幣を送ることができるとともに、現金搬送カセット５４に収納された紙幣を搬送部３６に繰り出すことができるようになっている。このような現金搬送カセット５４を筐体３２から外側に引き出すことにより、現金搬送カセット５４ごと紙幣を回収することができるようになる。なお、図３では、現金搬送カセット５４において、１枚ずつ一対のテープ間に挟み込んだ状態で当該テープを紙幣とともに巻き取るテープリール式の収納繰出部が内部に設けられているが、現金搬送カセット５４はこのような構成のものに限定されることはない。他の構成の現金搬送カセット５４として、紙幣を積み重ねて収納するスタッカ式の収納繰出部が内部に設けられたものが用いられてもよい。
【００４３】
また、排出部４０には排出部シャッタ４０ａが設けられている。紙幣が排出部４０に送られた後、操作者は排出部シャッタ４０ａを開くことにより、排出部４０に集積された紙幣を取り出すことができるようになっている。または、出金完了後に自動で排出部シャッタ４０ａが開くようになっていてもよい。
【００４４】
次に、このようなバラ紙幣入出金装置３０における制御系の構成について図４を用いて説明する。
【００４５】
図４に示すように、バラ紙幣入出金装置３０には、当該バラ紙幣入出金装置３０の各構成部材を制御する制御部６０が設けられている。ここで、制御部６０には、紙幣繰出機構３４ｂ、搬送部３６、識別部３８、収納繰出部５０、カセット装着部５２等がそれぞれ通信可能に接続されており、識別部３８による紙幣の識別情報に係る信号が制御部６０に送られるとともに、制御部６０は紙幣繰出機構３４ｂ、搬送部３６、収納繰出部５０、カセット装着部５２の各々に指令信号を送ることによりこれらの各構成部材の制御を行うようになっている。また、制御部６０には記憶部６２、検知部６４および通信インターフェース部７０がそれぞれ通信可能に接続されている。記憶部６２には、バラ紙幣入出金装置３０による紙幣の処理内容や各収納繰出部５０に収納されている紙幣の在高等に係る情報が記憶されるようになっている。
【００４６】
また、検知部６４は、収納繰出部５０から排出部４０へ排出される紙幣毎の排出動作を検知するようになっている。ここで、排出動作とは、各収納繰出部５０に収納されている紙幣を両替金として排出部４０により筐体３２内から筐体３２外に排出する動作であり、具体的には、制御部６０が各収納繰出部５０に対して収納されている紙幣を繰出すよう指示した際に、各収納繰出部５０から排出された紙幣が排出部４０により筐体３２内から筐体３２外に排出されるまでの一連の流れである。なお、各収納繰出部５０から排出されたがジャムや連鎖等の搬送異常により、排出部４０へ搬送されなかった紙幣に対しては排出された紙幣に該当しないものとする。そして、管理装置９０は、各収納繰出部５０に収納されている紙幣のうち両替金として排出部４０により筐体３２内から筐体３２外に排出された紙幣の特定情報を管理する。
【００４７】
また、制御部６０は通信インターフェース部７０を介して上記の管理装置９０に対して信号の送受信を行うようになっている。
【００４８】
次に、このようなバラ紙幣入出金装置３０における紙幣の入金処理や出金処理に係る動作について説明する。操作者が両替前の紙幣をバラ紙幣入出金装置３０に入金する際に、投入部３４に１または複数の両替前の紙幣が積層状態で載置されると、投入部３４に載置された紙幣は紙幣繰出機構３４ｂにより１枚ずつ筐体３２内に繰り出され、搬送部３６により搬送される。搬送部３６により識別部３８に送られた紙幣は当該識別部３８によりその金種、真偽、正損、新旧等が識別される。また、識別部３８により紙幣の記番号やイメージ画像が当該紙幣の特定情報として取得される。識別部３８による紙幣の識別結果に係る情報は制御部６０に送信される。制御部６０は、識別部３８による紙幣の識別結果に基づいて、搬送部３６により搬送される紙幣を各収納繰出部５０に例えば金種毎に振り分ける。また、対応する金種の収納繰出部５０がフル状態またはニアフル状態である場合には、当該紙幣はオーバーフロー紙幣として例えばカセット装着部５２に装着されている現金搬送カセット５４に送られる。また、識別部３８により識別することができなかった紙幣や識別部３８により正常な紙幣ではないと識別された紙幣はリジェクト紙幣として例えば排出部４０に送られる。操作者は排出部４０に送られたリジェクト紙幣を当該排出部４０から筐体３２外に取り出し、投入部３４に再投入等することができるようになっている。
【００４９】
また、バラ紙幣入出金装置３０から両替金としての紙幣を出金する場合には、各収納繰出部５０に収納されている紙幣が当該収納繰出部５０から搬送部３６に繰り出され、この搬送部３６により排出部４０に送られる。このことにより、操作者は排出部４０から両替金としての紙幣を筐体３２外に取り出すことができるようになる。このように、本実施の形態のバラ紙幣入出金装置３０では、上記の紙幣の入金処理において投入部３４から筐体３２内に投入されて各収納繰出部５０に収納された紙幣が両替金として排出部４０から排出されるようになっており、紙幣のいわゆるリサイクル処理が行われるようになっている。
【００５０】
このようなバラ紙幣入出金装置３０を備えた本実施の形態による両替システム１０では、管理装置９０は、バラ紙幣入出金装置３０の投入部３４により筐体３２外から筐体３２内に投入された紙幣の特定情報（具体的には、紙幣の記番号やイメージ画像）を管理するようになっている。また、バラ紙幣入出金装置３０の制御部６０も、投入部３４により筐体３２外から筐体３２内に投入された紙幣の特定情報を管理するようになっているが、このような制御部６０では、収納繰出部５０に収納されている紙幣の特定情報と収納繰出部５０への当該紙幣の収納順とを紐付けて記憶部６２に記憶させるようになっている。また、管理装置９０は比較手段９１を有しており（図２参照）、この比較手段９１により、バラ紙幣入出金装置３０において投入部３４により筐体３２外から筐体３２内に投入された紙幣が収納繰出部５０に収納された後に、当該管理装置９０において管理されている紙幣の特定情報と、バラ紙幣入出金装置３０の記憶部６２に記憶されている、収納繰出部５０への紙幣の収納順に紐付けられている当該紙幣の特定情報が比較されるようになっている。このような管理装置９０やバラ紙幣入出金装置３０の制御部６０による制御内容について図５を用いて詳述する。なお、図５は、図１等に示す両替システム１０における情報の流れを示す図である。
【００５１】
両替前の紙幣がバラ紙幣入出金装置３０に入金される際に、上述したように投入部３４により筐体３２内に繰り出された紙幣は識別部３８により識別されるが、識別部３８による紙幣の識別結果に係る情報は制御部６０および管理装置９０にそれぞれ送信されるようになる（図５における参照符号Ａ、Ｄの信号を参照）。ここで、識別部３８により取得された紙幣の特定情報のうち紙幣の記番号に係る情報は制御部６０および管理装置９０にそれぞれ送信されるが、紙幣のイメージ画像に係る情報は管理装置９０のみに送信されるようになる。紙幣のイメージ画像に係る情報はデータ量が大きいため、バラ紙幣入出金装置３０内でこのようなデータ量が大きい紙幣のイメージ画像を処理しようとすると記憶部６２の容量が足りなくなってしまうからである。制御部６０は、識別部３８から送信された紙幣の識別結果に係る情報を記憶部６２に記憶させるようになっている（図５における参照符号Ｅの信号を参照）。この際に、制御部６０では、各収納繰出部５０に収納されている紙幣について当該収納繰出部５０への収納順に係る情報も管理されるようになっているため、この制御部６０は、収納繰出部５０に収納されている紙幣の特定情報（具体的には、紙幣の記番号）と、収納繰出部５０への当該紙幣の収納順とを紐付けて記憶部６２に記憶させるようになる。また、制御部６０は、記憶部６２に記憶されている上記の情報を当該記憶部６２から読み出すことができるようになっている（図５における参照符号Ｆの信号を参照）。一方、管理装置９０では、バラ紙幣入出金装置３０の各収納繰出部５０に収納されている紙幣の特定情報（具体的には、紙幣の記番号やイメージ画像）が管理されるようになるが、収納繰出部５０への紙幣の収納順については管理装置９０では管理されない。
【００５２】
また、本実施の形態では、バラ紙幣入出金装置３０において投入部３４により筐体３２外から筐体３２内に投入された紙幣が収納繰出部５０に収納された後に、管理装置９０の比較手段９１により、当該管理装置９０において管理されている紙幣の特定情報と、バラ紙幣入出金装置３０の記憶部６２に記憶されている、収納繰出部５０への紙幣の収納順に紐付けられている当該紙幣の特定情報とを比較することができるようになっている。具体的には、このような比較手段９１による比較が行われる際に、収納繰出部５０への紙幣の収納順と当該紙幣の特定情報（具体的には、紙幣の記番号）とを紐付けた情報が、バラ紙幣入出金装置３０の制御部６０から通信インターフェース部７０を介して管理装置９０に送信される（図５における参照符号Ｂの信号を参照）。そして、比較手段９１により、バラ紙幣入出金装置３０の制御部６０から送信された、収納繰出部５０への紙幣の収納順に紐付けられている当該紙幣の特定情報と、当該管理装置９０において管理されている紙幣の特定情報とを比較することにより、バラ紙幣入出金装置３０の制御部６０において紙幣の特定情報が問題なく管理されているか否かを検知することができるようになり、両替システム１０において違算等のトラブルが発生することを防止することができるようになる。比較手段９１による比較結果に基づいて紙幣の特定情報が問題なく管理されていることが管理装置９０において検知された場合には、このような情報が管理装置９０からバラ紙幣入出金装置３０の制御部６０に戻されるようになる（図５における参照符号Ｃの信号を参照）。
【００５３】
また、本実施の形態では、両替システム１０において両替処理（具体的には、例えばバラ紙幣入出金装置３０における両替前の紙幣の入金処理や両替金としての紙幣の出金処理）が行われる前に、カードリーダ９４によって操作者が所有するＩＤカード等の読み取りを行うことにより当該操作者の認証を行い、操作者の認証が問題なく行われたことを条件として両替システム１０において両替処理が行われるようになっていてもよい。この場合は、カードリーダ９４により取得される操作者の情報に係る情報が管理装置９０に送信され（図５の参照符号Ｇの信号を参照）、当該管理装置９０において、紙幣の特定情報とカードリーダ９４により取得された操作者の情報とが紐付けて管理されるようになる。このことにより、投入部３４により筐体３２内に投入された両替前の紙幣や両替金として排出部４０により筐体３２外に排出された紙幣について、管理装置９０により管理される上記の情報に基づいて操作者を特定することができるようになる。
【００５４】
また、バラ紙幣入出金装置３０において両替金としての紙幣の出金処理が行われる際に、検知部６４により紙幣の排出動作（具体的には、各収納繰出部５０に収納されている紙幣を両替金として排出部４０により筐体３２内から筐体３２外に排出する動作）が検知されると、このような紙幣の排出動作の検知情報が制御部６０から通信インターフェース部７０を介して管理装置９０に送信される（図５において参照符号Ｂで示す信号を参照）。管理装置９０は、制御部６０から紙幣の排出動作の検知情報を受信すると、排出部４０により筐体３２内から筐体３２外に排出される紙幣の特定情報（具体的には、紙幣の記番号やイメージ画像）を出力する。具体的には、管理装置９０により出力される出金紙幣の特定情報は操作表示部９２に表示されたりプリンタ９５によりレシート等に印字されたりする。また、管理装置９０により出力される出金紙幣の特定情報が通信装置９６により両替システム１０とは別に設けられた外部のシステム（例えば、両替システム１０の管理を行う上位端末）に送信されるようになっていてもよい。また、この際に、管理装置９０により出力される出金紙幣の特定情報は、バラ紙幣入出金装置３０において排出部４０により筐体３２外に排出される紙幣の排出順と紐付けて当該管理装置９０から出力されるようになっていてもよい。ここで、本実施の形態では、バラ紙幣入出金装置３０の各収納繰出部５０は、当該収納繰出部５０に収納されている紙幣のうち最後に収納された紙幣をこの収納繰出部５０から最初に繰り出すような構成となっているため、管理装置９０は、収納繰出部５０への紙幣の収納順と当該収納繰出部５０から紙幣を排出部４０により筐体３２外に排出する排出順とが逆になるように、排出部４０により筐体３２内から筐体３２外に排出された両替金としての紙幣の特定情報を当該紙幣の排出順と紐付けて出力するようになる。また、バラ紙幣入出金装置３０の各収納繰出部５０は、当該収納繰出部５０に収納されている紙幣のうち最初に収納された紙幣をこの収納繰出部から最初に繰出すような構成となっていてもよい。つまり、収納繰出部５０の構成によっては、収納順と排出順とが逆になる場合もあれば、収納順と排出順とが同じ順番（収納順＝排出順）になる場合もありうる。
【００５５】
また、本実施の形態では、出金処理において排出部４０により筐体３２内から筐体３２外に排出される際に、識別部３８により紙幣が識別されない構成であってもよい。このような構成であっても、管理装置９０は排出動作に基づいて排出部４０から排出される紙幣の特定情報を管理することができる。具体的には、検知部６４により紙幣の排出動作として、各収納繰出部５０に収納されている紙幣が排出された枚数が検知されると、このような紙幣の排出動作の検知情報（各収納繰出部から排出された紙幣の枚数）が制御部６０から通信インターフェース部７０を介して管理装置９０に送信される。管理装置９０は、制御部６０から紙幣の排出動作の検知情報（各収納繰出部から排出された紙幣の枚数）を受信し、その検知情報に基づいて排出された紙幣の特定情報を管理することができる。より具体的には、管理装置９０は、排出された紙幣の枚数がｎ枚であるとすれば、排出順の上からｎ番目までの紙幣が排出されたと推定し、排出順に紐付けられた紙幣の特定情報をもとに排出された紙幣の特定情報を管理することができる。また、検知部６４が排出された紙幣の枚数を検知しなくても、排出後に各収納繰出部５０に残った紙幣の枚数を検知する形態であってもよい。この場合でも、検知部６４の検知情報から排出順の上からｎ番目までの紙幣が排出されたと推定できるため排出された紙幣の特定情報を管理することができる。また、排出順に紐付けられた特定情報とは、各収納繰出部５０の構成によっては、収納順と排出順とが逆になる場合もあれば、収納順と排出順とが同じ順番（収納順＝排出順）になる場合もありうるということから、収納順と紐付けられた特定情報としてもよい。このような本実施の形態では、出金時において、識別部３８を用いなくても出金する紙幣の特定情報を管理することができるため、識別部３８による識別情報の処理を省くことができ、効率良くバラ紙幣入出金装置３０を稼働することができる。
【００５６】
しかし、上述する形態は、あくまで、各収納繰出部５０から紙幣が排出部４０へ正常に排出されることを想定したものであって、検知部６４は排出動作として、各収納繰出部５０から排出された紙幣が排出部４０により筐体３２内から筐体３２外に排出されるまでの一連の流れを検知するようになっていることが好ましい。具体的には、各収納繰出部５０にｎ枚の紙幣が収納され、当該紙幣に対して１からｎ番目までの排出順が割り当てられている状況において、例えば、制御部６０により排出順が１から４番目までの紙幣が排出されるよう指示があった場合、検知部６４は排出順が１から４番目までの紙幣について、収納繰出部５０から排出され排出部４０により筐体３２内から筐体３２外に排出されるまでの一連の流れを検知するようになっている。このとき、検知部６４が検知した情報が、排出順が１番目と２番目の紙幣については正常に排出部４０へ排出され、排出順が３番目と４番目の紙幣についてはジャムにより正常に排出されなかったという検知情報である場合、その検知情報が制御部６０から通信インターフェース部７０を介して管理装置９０に送信される。管理装置９０は、制御部６０から紙幣の排出動作の検知情報を受信し、その検知情報に基づいて、排出された紙幣の特定情報は、排出順が１番目と２番目の紙幣に紐付けられた特定情報であると管理することができる。なお、管理装置９０は、３番目と４番目の紙幣に紐付けられた特定情報を、正常に排出されなかった紙幣の特定情報として管理してもよい。このような本実施の形態では、排出動作において異常が起きたとしても、出金時において、識別部３８を用いなくても出金する紙幣の特定情報を管理することができるため、識別部３８による識別情報の処理を省くことができ、効率良くバラ紙幣入出金装置３０を稼働することができる。
【００５７】
また、本実施の形態では、バラ紙幣入出金装置３０において両替前の紙幣の入金処理が行われる際にも、投入部３４により筐体３２内に投入された紙幣が識別部３８により識別される毎に、当該識別部３８により取得された紙幣の特定情報（具体的には、紙幣の記番号やイメージ画像）が管理装置９０から出力されるようになっていてもよい。このような管理装置９０により出力される入金紙幣の特定情報も操作表示部９２に表示されたりプリンタ９５によりレシート等に印字されたりする。また、管理装置９０により出力される入金紙幣の特定情報が通信装置９６により両替システム１０とは別に設けられた外部のシステム（例えば、両替システム１０の管理を行う上位端末）に送信されるようになっていてもよい。また、この際に、管理装置９０により出力される入金紙幣の特定情報は、各収納繰出部５０に収納される紙幣の収納順と紐付けて当該管理装置９０から出力されるようになっていてもよい。
【００５８】
以上のような構成からなる本実施の形態の両替システム１０によれば、管理部として用いられる管理装置９０は、両替部として用いられるバラ紙幣入出金装置３０に投入された紙幣やバラ紙幣入出金装置３０から排出された紙幣の特定情報を管理するようになっている。このような両替システム１０によれば、両替部として用いられるバラ紙幣入出金装置３０に投入された紙幣やバラ紙幣入出金装置３０から排出された紙幣の特定情報を管理することにより、両替処理した貨幣を特定するための情報を管理することができ、よって偽券等に関するトラブルが発生することを防止することができる。なお、本実施の形態の両替システム１０では、管理装置９０は、両替部として用いられるバラ紙幣入出金装置３０に投入された紙幣の特定情報およびバラ紙幣入出金装置３０から排出された紙幣の特定情報をそれぞれ管理することに限定されることはない。他の態様として、管理装置９０は、両替部として用いられるバラ紙幣入出金装置３０に投入された紙幣の特定情報およびバラ紙幣入出金装置３０から排出された紙幣の特定情報のうち何れか一方のみを管理するようになっていてもよい。
【００５９】
ここで、管理装置９０により管理される紙幣の特定情報としては、上述したように例えば紙幣の記番号やイメージ画像が挙げられる。なお、管理装置９０により管理される紙幣の特定情報として、紙幣の記番号およびイメージ画像のうち一方のもののみが用いられるようになっていてもよい。また、管理装置９０により管理される紙幣の特定情報として、当該紙幣の特定を行うことができるものであれば、紙幣の記番号やイメージ画像以外のものが用いられてもよい。例えば、紙幣そのものが有する固有の情報や紙幣の識別結果に基づく固有の情報（汚損状態を含む）が紙幣の特定情報として用いられるようになっていてもよい。
【００６０】
また、本実施の形態の両替システム１０においては、上述したように、両替部として用いられるバラ紙幣入出金装置３０は、両替金として排出するための紙幣を収納する収納部として収納繰出部５０を有し、管理部として用いられる管理装置９０は、収納繰出部５０に収納されている紙幣の特定情報と当該紙幣の収納順とを紐付けた情報に基づいて紙幣の特定情報を管理するようになっている。また、両替部として用いられるバラ紙幣入出金装置３０は、収納繰出部５０に収納されている紙幣の特定情報と当該紙幣の収納順とを管理装置９０に出力するようになっている。
【００６１】
また、本実施の形態の両替システム１０においては、上述したように、両替部として用いられるバラ紙幣入出金装置３０は、紙幣を外部に排出する排出部４０と、収納繰出部５０から排出部４０へ排出される紙幣毎の排出動作を検知する検知部６４とを更に有しており、管理部として用いられる管理装置９０は、検知部６４により検知された紙幣毎の排出動作に基づいて、排出部４０から排出される紙幣の特定情報を特定するようになっている。より詳細には、検知部６４により紙幣の排出動作が検知されると、収納繰出部５０から排出部４０へ排出された紙幣の枚数に係る情報が管理装置９０に送られ、当該管理装置９０は、収納繰出部５０に収納されている紙幣の特定情報と当該紙幣の収納順とを紐付けた情報と、収納繰出部５０から排出部４０へ排出された紙幣の枚数に係る情報に基づいて、排出部４０へ排出される紙幣の特定情報を管理する。
【００６２】
また、本実施の形態の両替システム１０においては、上述したように、両替部として用いられるバラ紙幣入出金装置３０は、外部から紙幣が投入される投入部３４を有し、収納繰出部５０は、投入部３４から投入された紙幣を収納し、当該収納繰出部５０に収納されている紙幣のうち最後に収納された紙幣を当該収納繰出部５０から最初に排出するような構成となっており、収納されている紙幣を収納順とは逆の順番で排出する。
【００６３】
また、本実施の形態の両替システム１０は、上述したように、両替部として用いられるバラ紙幣入出金装置３０に投入された紙幣およびバラ紙幣入出金装置３０から排出された紙幣のうち少なくとも一方の紙幣の特定情報を出力する出力部を更に備えている。このことにより、金融機関等の係員は、出力された紙幣の特定情報に基づいて、両替処理した紙幣の特定を行うことができるようになり、偽券等に関するトラブルが発生することを防止することができる。このような出力部として、紙幣の特定情報を表示する操作表示部９２や紙幣の特定情報をレシート等に印字するプリンタ９５、紙幣の特定情報を両替システム１０とは別のシステム（例えば、上位端末）に送信する通信装置９６等が用いられる。なお、このような出力部がバラ紙幣入出金装置３０の外部に設けられる代わりにバラ紙幣入出金装置３０の内部に設けられるようになっていてもよい。
【００６４】
また、本実施の形態の両替システム１０は、上述したように、操作者の情報を取得するための情報取得部としてカードリーダ９４を更に備えている。そして、管理部としての管理装置９０は、両替部としてのバラ紙幣入出金装置３０に投入された紙幣およびバラ紙幣入出金装置３０から排出された紙幣のうち少なくとも一方の紙幣の特定情報と情報取得部としてのカードリーダ９４により取得された操作者の情報とを紐付けるようになっている。このことにより、バラ紙幣入出金装置３０に投入された紙幣やバラ紙幣入出金装置３０から排出された紙幣について、上記の紐付けられた情報に基づいて管理装置９０により操作者を特定することができるようになる。
【００６５】
なお、本実施の形態による両替システム１０やこのような両替システム１０に設けられたバラ紙幣入出金装置３０は、上述したような態様に限定されることはなく、様々な変更を加えることができる。
【００６６】
例えば、バラ紙幣入出金装置３０において、紙幣を収納する収納部として、収納繰出部５０に加えて、あるいは収納繰出部５０の代わりに、事前に紙幣が収納され必要に応じてバラ紙幣入出金装置３０の筐体３２内に装填するいわゆる補充用カセットが用いられてもよい。このような補充用カセットの運用の具体例について説明する。バラ紙幣入出金装置３０とは別の装置あるいは手動によって所定枚数の紙幣が既に収納されている補充用カセットにおいて、収納されている紙幣の特定情報（具体的には、紙幣の記番号やイメージ画像）と収納順とが紐付けられた情報を補充用カセットに設けられたメモリーに記憶させておく。そして、補充用カセットがバラ紙幣入出金装置３０の筐体３２内に装填されると、バラ紙幣入出金装置３０の筐体３２内に設けられた図示しないリーダライタが補充用カセットのメモリーを読み込む。このことにより、バラ紙幣入出金装置３０において、補充用カセットに収納されている紙幣の特定情報と収納順とが紐付けられた情報が取得される。このようにして、補充用カセットから紙幣を両替金として排出する際に、上述した排出動作に基づいて排出される紙幣の特定情報を管理することができるようになる。また、補充用カセットにメモリーを設ける代わりに、収納されている紙幣の特定情報（具体的には、紙幣の記番号やイメージ画像）と収納順とが紐付けられた情報を示すＱＲコード（二次元バーコード）が印字されたレシートを補充用カセットに貼り付け、この補充用カセットをバラ紙幣入出金装置３０の筐体３２内に装填する際に、図示しないバーコードリーダ等によって補充用カセットに貼り付けられたレシートのＱＲコード（二次元バーコード）を読み取ることにより、バラ紙幣入出金装置３０において補充用カセットに収納されている紙幣の特定情報と収納順とが紐付けられた情報が取得されるようになっていてもよい。
【００６７】
また、本実施の形態による両替機としてのバラ紙幣入出金装置３０は、紙幣の入金処理において投入部３４から筐体３２内に投入されて各収納繰出部５０に収納された紙幣が両替金として排出部４０から排出されるようなリサイクル処理を行うものに限定されることはない。変形例に係るバラ紙幣入出金装置として、紙幣の入金処理において投入部３４から筐体３２内に投入された紙幣が収納される収納部とは別の収納部から繰り出された紙幣が両替金として排出部４０から排出されるような構成のものが用いられてもよい。
【００６８】
また、バラ紙幣入出金装置３０において、搬送部３６における投入部３４から各収納繰出部５０までの入金経路に識別部３８を設ける代わりに、あるいは搬送部３６における投入部３４から各収納繰出部５０までの入金経路に識別部３８を設けることに加えて、搬送部３６における各収納繰出部５０から排出部４０への出金経路に出金識別部を設けてもよい。この場合には、各収納繰出部５０に収納されている紙幣が両替金として排出部４０から筐体３２外に排出される際に、この紙幣を搬送部３６における出金経路に設けられた出金識別部により直接識別することができるようになり、両替金としての紙幣の特定情報をより確実に取得することができるようになる。また、出金経路に出金識別部を設ける場合には、各収納繰出部５０に収納されている紙幣の収納順と当該紙幣の特定情報とが紐付けられた情報が管理されているときに、各収納繰出部５０に収納されている紙幣が両替金として排出部４０から筐体３２外に排出される際に、この排出される紙幣を出金識別部により識別して紙幣の排出順と当該紙幣の特定情報とを取得し、紙幣の排出順と当該紙幣の特定情報とが紐付けられた情報と、各収納繰出部５０に収納されている紙幣の収納順と当該紙幣の特定情報とが紐付けられた情報とを比較することにより、収納繰出部５０から繰り出された紙幣が全て問題なく排出部４０に送られたか否かを判別することができるようになる。また、変形例に係るバラ紙幣入出金装置として、紙幣の入金処理において投入部３４から筐体３２内に投入された紙幣が収納される収納部とは別の収納部から繰り出された紙幣が両替金として排出部４０から排出されるような構成のものが用いられる場合には、両替金として筐体３２外に排出される紙幣の特定を行うためには紙幣の出金経路に出金識別部を設ける必要がある。
【００６９】
また、管理装置９０は、バラ紙幣入出金装置３０の制御部６０から通信インターフェース部７０を介して当該管理装置９０に送信された情報に基づいて、当該バラ紙幣入出金装置３０の収納繰出部５０に収納されている紙幣の特定情報と収納繰出部５０への当該紙幣の収納順とを紐付けて管理するようになっていてもよい。具体的には、バラ紙幣入出金装置３０において両替前の紙幣の入金処理が行われたときに、各収納繰出部５０に収納されている紙幣の収納順に係る情報が当該紙幣の特定情報（具体的には、紙幣の記番号）に紐付けられて制御部６０から管理装置９０に送信されるようになっていてもよい。この場合には、管理装置９０は、制御部６０から送信された上記の情報を、識別部３８から直接当該管理装置９０に送信された紙幣の記番号と照合することにより、管理装置９０でも各収納繰出部５０への紙幣の収納順を当該紙幣の特定情報と紐付けて管理することができるようになる。
【００７０】
また、バラ紙幣入出金装置３０において、検知部６４により紙幣の排出動作が検知されたときに、制御部６０は、検知部６４により検知された紙幣毎の排出動作に基づいて、排出部４０により筐体３２内から筐体３２外に排出される両替金としての紙幣の特定情報を出力するようになっていてもよい。制御部６０から出力された紙幣の特定情報は、例えば通信インターフェース部７０を介して管理装置９０に送信されることにより、当該管理装置９０によって紙幣の特定情報が操作表示部９２に表示されたりプリンタ９５によりレシート等に印字されたりするようになる。
【００７１】
また、紙幣の両替処理を行うバラ紙幣入出金装置（両替機）は、両替システム１０に組み込まれるのではなく単体で用いられるようになっていてもよい。このような単体で用いられるバラ紙幣入出金装置３０ａにおける制御系の構成について図６を用いて説明する。なお、単体で用いられるバラ紙幣入出金装置３０ａにおいて、その内部構成は図３に示すバラ紙幣入出金装置３０の内部構成と略同一となっている。このため、単体で用いられるバラ紙幣入出金装置３０ａを説明するにあたり、図３に示すバラ紙幣入出金装置３０と同一の構成部材については同一の参照符号を付してその説明を省略する。
【００７２】
図６に示すバラ紙幣入出金装置３０ａでは、当該バラ紙幣入出金装置３０ａの各構成部材の制御を行う制御部６０に、操作表示部６５、カードリーダ６６、プリンタ６７、通信インターフェース部７１がそれぞれ通信可能に接続されている。操作表示部６５は例えばバラ紙幣入出金装置３０ａの筐体３２の前面や上面に設けられたタッチパネル等からなり、当該操作表示部６５は、バラ紙幣入出金装置３０ａにおける紙幣の処理内容や各収納繰出部５０に収納されている紙幣の在高等に係る情報を表示するとともに、操作者がこの操作表示部６５を操作することにより制御部６０に様々な指令を入力することができるようになっている。なお、バラ紙幣入出金装置３０ａにおいてタッチパネル等からなる操作表示部６５が設けられる代わりに、モニタ等からなる表示部と、キーボードや操作キー等からなる操作部とが別々に設けられるようになっていてもよい。
【００７３】
また、カードリーダ６６は、バラ紙幣入出金装置３０ａの筐体３２の前面や上面に設けられ、操作者が所有するＩＤカード等の読み取りを行うことにより操作者の情報を取得し、この操作者の情報に基づいて操作者の認証を行うようになっている。また、プリンタ９５は、バラ紙幣入出金装置３０ａの筐体３２の前面や上面に設けられ、バラ紙幣入出金装置３０ａにおける紙幣の処理内容や各収納繰出部５０に収納されている紙幣の在高等に係る情報、あるいは操作者が行った両替処理に関する情報をレシート等に印字する印字部として機能するようになっている。また、制御部６０は通信インターフェース部７１を介して当該バラ紙幣入出金装置３０ａとは別に設けられた上位端末等の外部装置に対して信号の送受信を行うようになっている。
【００７４】
図６に示すような単体で用いられるバラ紙幣入出金装置３０ａにおいて、制御部６０は、投入部３４に投入された紙幣や排出部４０から排出された紙幣の特定情報を管理するようになっている。このようなバラ紙幣入出金装置３０ａによれば、投入部３４に投入された紙幣や排出部４０から排出された紙幣の特定情報を管理することにより、両替処理した貨幣を特定するための情報を管理することができ、よって偽券等に関するトラブルが発生することを防止することができる。なお、図６に示すバラ紙幣入出金装置３０ａでは、制御部６０は、投入部３４に投入された紙幣の特定情報および排出部４０から排出された紙幣の特定情報をそれぞれ管理することに限定されることはない。他の態様として、制御部６０は、投入部３４に投入された紙幣の特定情報および排出部４０から排出された紙幣の特定情報のうち何れか一方のみを管理するようになっていてもよい。
【００７５】
ここで、図６に示すような単体で用いられるバラ紙幣入出金装置３０ａにおいて制御部６０により管理される紙幣の特定情報としては、例えば紙幣の記番号やイメージ画像が挙げられる。なお、制御部６０により管理される紙幣の特定情報として、紙幣の記番号およびイメージ画像のうち一方のもののみが用いられるようになっていてもよい。また、制御部６０により管理される紙幣の特定情報として、当該紙幣の特定を行うことができるものであれば、紙幣の記番号やイメージ画像以外のものが用いられてもよい。また、制御部６０により管理される紙幣の特定情報として、当該紙幣の特定を行うことができるものであれば、紙幣の記番号やイメージ画像以外のものが用いられてもよい。例えば、紙幣そのものが有する固有の情報や紙幣の識別結果に基づく固有の情報（汚損状態を含む）が紙幣の特定情報として用いられるようになっていてもよい。
【００７６】
また、図６に示すような単体で用いられるバラ紙幣入出金装置３０ａは、図３に示すバラ紙幣入出金装置３０と同様に、排出部４０へ排出するための紙幣を収納する収納部として収納繰出部５０を更に有している。そして、制御部６０は、収納繰出部５０に収納されている紙幣の特定情報と当該紙幣の収納順とを紐付けた情報に基づいて紙幣の特定情報を管理するようになっている。この場合、制御部６０は、紐付けて管理されている紙幣の特定情報と当該紙幣の収納順とを出力するようになっている。
【００７７】
また、図６に示すような単体で用いられるバラ紙幣入出金装置３０ａは、図３に示すバラ紙幣入出金装置３０と同様に、収納繰出部５０から排出部４０へ排出される紙幣毎の排出動作を検知する検知部６４を更に有している。そして、制御部６０は、検知部６４により検知された紙幣毎の排出動作に基づいて、排出部４０へ排出される紙幣の特定情報を管理するようになっている。この場合、検知部６４により紙幣の排出動作が検知されると、収納繰出部５０から排出部４０へ排出された紙幣の枚数に係る情報が制御部６０に送られ、当該制御部６０は、収納繰出部５０に収納されている紙幣の特定情報と当該紙幣の収納順とを紐付けた情報と、収納繰出部５０から排出部４０へ排出された紙幣の枚数に係る情報とに基づいて、排出部４０へ排出される紙幣の特定情報を管理するようになっている。
【００７８】
また、図６に示すような単体で用いられるバラ紙幣入出金装置３０ａは、図３に示すバラ紙幣入出金装置３０と同様に、収納繰出部５０は、当該収納繰出部５０に収納されている紙幣のうち最後に収納された紙幣を当該収納繰出部５０から最初に排出するような構成となっており、収納されている紙幣を収納順とは逆の順番で排出する。
【００７９】
また、図６に示すような単体で用いられるバラ紙幣入出金装置３０ａは、投入部３４により機体外から機体内に投入された紙幣および排出部４０により機体内から機体外に排出された紙幣のうち少なくとも一方の紙幣の特定情報を出力する出力部を更に有している。このことにより、金融機関等の係員は、出力された紙幣の特定情報に基づいて、両替処理した紙幣の特定を行うことができるようになり、偽券等に関するトラブルが発生することを防止することができる。このような出力部として、紙幣の特定情報を表示する操作表示部６５や紙幣の特定情報をレシート等に印字するプリンタ６７、紙幣の特定情報をバラ紙幣入出金装置３０ａとは別の装置（例えば、上位端末）に送信する通信インターフェース部７１等が用いられる。
【００８０】
また、図６に示すような単体で用いられるバラ紙幣入出金装置３０ａにおいて、操作者の情報を取得するための情報取得部としてカードリーダ６６が設けられている。そして、制御部６０は、投入部３４により筐体３２外から筐体３２内に投入された紙幣および排出部４０により筐体３２内から筐体３２外に排出された紙幣のうち少なくとも一方の紙幣の特定情報と情報取得部としてのカードリーダ６６により取得された操作者の情報とを紐付けるようになっている。このことにより、投入部３４により筐体３２内に投入された両替前の紙幣や両替金として排出部４０により筐体３２外に排出された紙幣について、制御部６０により管理される上記の情報に基づいて操作者を特定することができるようになる。
【００８１】
また、図３乃至図５に示すバラ紙幣入出金装置３０や図６に示すバラ紙幣入出金装置３０ａにおいて、両替前の紙幣の入金処理が行われる際に、投入部３４により筐体３２内に投入された紙幣を識別部３８により識別するときに当該紙幣に落書きが行われるか否かが判別されるようになっていてもよい。この場合には、識別部３８により識別された紙幣の落書きの有無によって搬送部３６による当該紙幣の搬送先が決められるようになる。具体的には、識別部３８により紙幣に落書きが行われていないと判別されたときには、当該紙幣は搬送部３６により各収納繰出部５０に送られてこれらの収納繰出部５０に収納される。この場合には、各収納繰出部５０に収納された紙幣は両替金として排出部４０から排出されるようになり、紙幣のいわゆるリサイクル処理が行われる。一方、識別部３８により紙幣に落書きが行われていると判別されたときには、当該紙幣は搬送部３６により各収納繰出部５０ではなくカセット装着部５２に装着されている現金搬送カセット５４に送られてこの現金搬送カセット５４に収納される。この場合には、金融機関等の係員が現金搬送カセット５４をカセット装着部５２から取り外すことにより、落書きが行われた紙幣は現金搬送カセット５４ごと回収されるようになる。また、制御部６０や管理装置９０は、現金搬送カセット５４に送られた、落書きが行われている紙幣の特定情報（具体的には、紙幣の記番号やイメージ画像）を管理するようになっていてもよい。
【００８２】
また、図３乃至図５に示すバラ紙幣入出金装置３０や図６に示すバラ紙幣入出金装置３０ａにおいて、落書きが行われた紙幣が、１回の取引で所定枚数以上、投入部３４により筐体３２内に投入された場合には、上部扉１４の上部における左右両側に設けられた各発光ダイオード（ＬＥＤ）９８が点灯するようになっている。このことにより、金融機関等の係員は、各発光ダイオード９８が点灯したことを目視にて確認することにより、図３乃至図５に示すバラ紙幣入出金装置３０や図６に示すバラ紙幣入出金装置３０ａにおいて悪意ある利用者によって落書きが行われた紙幣が大量に筐体３２内に投入されていることに気づくことができ、このような悪質な行為を行う操作者に対して迅速に対応する（例えば、所定の機関に通報する）ことができるようになる。また、このような場合には、投入部３４により筐体３２内に投入された、落書きが行われた紙幣の枚数に応じて、各発光ダイオード９８の光表示の態様を変化させる（例えば、点灯／点滅の切り替えを行ったり、色を変えたりする）ようにしてもよい。
【００８３】
また、図３乃至図５に示すバラ紙幣入出金装置３０や図６に示すバラ紙幣入出金装置３０ａにおいて、両替処理が行われる前に両替システム１０に設けられたカードリーダ９４やバラ紙幣入出金装置３０ａに設けられたカードリーダ６６によって操作者が所有するＩＤカード等の読み取りを行うことにより当該操作者の認証を行い、操作者の認証が問題なく行われたことを条件として両替処理が行われるようになっている場合には、識別部３８により取得された、落書きが行われている紙幣の特定情報（具体的には、紙幣の記番号やイメージ画像）を、制御部６０や管理装置９０において管理されている操作者の情報毎の取引ログと照合することにより、落書きが行われている紙幣を投入部３４により筐体３２内に投入した操作者の特定を行うことができるようになっていてもよい。この場合には、落書きが行われている紙幣を同一の操作者が所定枚数以上、投入部３４により筐体３２内に投入した場合には、このような操作者を特定することにより、このような悪質な行為を行う操作者に対して迅速に対応する（例えば、所定の機関に通報する）ことができるようになる。
【符号の説明】
【００８４】
１０    両替システム
１２    外側筐体
１４    上部扉
１６    下部扉
２０    バラ硬貨入出金装置
３０、３０ａ  バラ紙幣入出金装置
３２    筐体
３４    投入部
３４ａ  投入部カバー
３４ｂ  紙幣繰出機構
３６    搬送部
３８    識別部
４０    排出部
４０ａ  排出部シャッタ
５０    収納繰出部
５２    カセット装着部
５４    現金搬送カセット
６０    制御部
６２    記憶部
６４    検知部
６５    操作表示部
６６    カードリーダ
６７    プリンタ
７０、７１  通信インターフェース部
８０    包装硬貨投出装置
９０    管理装置
９１    比較手段
９２    操作表示部
９４    カードリーダ
９５    プリンタ
９６    通信装置
９８    発光ダイオード
【図１】
2016139383.tif 000003
【図２】
2016139383.tif 000004
【図３】
2016139383.tif 000005
【図４】
2016139383.tif 000006
【図５】
2016139383.tif 000007
【図６】
2016139383.tif 000008